(57)【要約】【課題】  複数の電子表示装置に一連の表示情報を書き込むに当たり、ユーザに余計な手間をかけさせず、そのときのそれぞれの電子表示装置の配列状態にあった適切な表示情報を書き込み、表示させることが簡単に実行できる、電子データ表示システムを提供する。【解決手段】  それぞれが被検知部を有する複数の電子表示装置と、その被検知部により提示される情報に基づき配列順の情報を検出する検知手段、及び検出した配列順の情報に基づきそれぞれの電子表示装置に対して伝達する表示情報、すなわち電子データを割り当てる電子データ割り当て手段を有する書き込み装置と、からなる電子データ表示システム。【選択図】        図８
2007057930.tif 000002
【特許請求の範囲】
【請求項１】
電子表示装置に電子データを伝達する電子データ伝達手段を有する書き込み装置と、
前記書き込み装置から伝達される前記電子データを受信することにより既に表示されている電子データを更新する電子データ書き換え手段と、前記伝達される前記電子データを表示する表示手段とを有する複数の電子表示装置とを備え、
任意の順序で配列された前記複数の電子表示装置に対し、前記電子データ伝達手段により、前記書き込み装置が記憶する一連の電子データを伝達し、書き換える電子データ表示システムであって、
前記配列された複数の電子表示装置には、前記書き込み装置により検知される、それぞれの電子表示装置を識別するための一連の識別情報に関連づけられた被検知部が設けられ、
前記書き込み装置には、前記被検知部から前記一連の識別情報と前記複数の電子表示装置の配列の順序とを検知する検知手段が設けられ、
前記検知手段により検知された前記一連の識別情報と前記複数の電子表示装置の配列の順序に基づき、前記配列された複数の電子表示装置のそれぞれに対し、伝達すべき電子データを割り当てる電子データ割り当て手段を有することを特徴とする電子データ表示システム。
【請求項２】
一連の前記被検知部は、前記複数の電子表示装置のそれぞれに対し、前記電子表示装置の任意の位置に、物理的性質、電気的性質、及び光学的性質から選択される少なくとも一つの性質の異なる、若しくは異なるように操作し得る部分を設けることで、それぞれの電子表示装置を特定する識別情報を表すものであることを特徴とする請求項１に記載の電子データ表示システム。
【請求項３】
前記電子データ割り当て手段は、前記複数の電子表示装置のそれぞれに対し、前記検知手段により検知された前記複数の電子表示装置の配列の順序に対応して、複数ページからなる一連の電子データをページ順に、または任意に表示順序を変更する処理のなされたページ順に、割り当てるものであることを特徴とする請求項１または２に記載の電子データ表示システム。
【請求項４】
一連の前記電子表示装置は、それぞれ表面と裏面の両面を有する形状であり、
前記被検知部はさらに、前記表示手段が前記電子表示装置の前記表面か裏面のいずれか片面に設けられているかまたは両面に設けられているかを識別できる情報をも表すものであり、
前記電子データ割り当て手段はさらに、前記表示手段が前記片面に設けられているか、または両面に設けられているかを識別できる情報も加え、前記伝達すべき電子データを割り当てるものであることを特徴とする請求項１乃至３の何れか１項に記載の電子データ表示システム。
【請求項５】
一連の前記電子表示装置は、それぞれ表面と裏面の両面を有し、かつ上下左右の概念を有する矩形状であり、
前記被検知部はさらに、前記電子表示装置の前記表面と裏面、及び上下と左右の向きを識別できる情報をも表すものであり、
前記電子データ割り当て手段はさらに、前記電子表示装置の前記表面と裏面、及び上下と左右の向きを識別できる情報をも加え、前記伝達すべき電子データを割り当てるものであることを特徴とする請求項１乃至４の何れか１項に記載の電子データ表示システム。
【発明の詳細な説明】
【技術分野】
【０００１】
電子データ表示システムに関する。特に、電子ペーパなどの書き換え可能で携帯可能な電子表示装置に代表される、複数の電子表示装置と、それぞれの電子表示装置に表示する内容を管理して書き込みを行う書き込み装置とからなる電子データ表示システムに関する。
【背景技術】
【０００２】
近年、電子メディアが普及してきて、様々な分野で利用されている。
【０００３】
従来より、半導体技術を用いたＩＣカードやＲＦＩＤ（無線での認証）などの利用が進み、カードやペーパ状の携帯容易なメディアが普及してきた。これらの電子メディアにより、情報の授受を非接触で行い、かつ、記録、更新表示などの機能が提供されるようになった。
【０００４】
この小型、簡便でありながら、非接触で情報の伝達ができる機能を利用し、特定の部分に近づけることで瞬時にＩＤの認証や電子決済を行うサービスなどが提供され、セキュリティ向上と利便性の効率化などが図られている。また、伝達した情報を更新記録したり、書換えた情報を表示する機能も併せ持つことによって、その利用範囲はさらに広がっている（例えば、特許文献１参照）。
【０００５】
電子表示装置の分野においても、その小型化やペーパ状の形態とともに、認証や情報の書換えを非接触で行い、さらに書換えた情報を表示することが、その用途の拡大のために重要な技術となっている。
【０００６】
一般的には、携帯可能な電子表示装置に対して、書き込み装置が非接触の状態で通信を行い、表示装置の特定と表示情報などの電子データの伝達を個別に行う。すなわち、書き込み装置は、多数の中の特定の電子表示装置を識別して、それぞれ個別に情報伝達し、表示させるというようなシステムの開発が主になされてきている。
【０００７】
しかしながら、書き込み装置が書き換えようとする表示情報に対し、一対一に電子表示装置が対応するような場合ばかりではなく、複数の電子表示装置で表示情報を共有することも可能であり、そういったケースも今後の利用形態として大いに考えられる。また、連続した情報を複数の電子表示装置に提供しながら、それらの情報が連携して表示されることで、一つの表示情報として利用されることもある。
【０００８】
例えば、電子ペーパを複数枚使用して、一連のデータ保持、あるいは表示を行うような利用も考えられる。実際、複数の電子ペーパをファイルに綴じ込み、ブック状の形態として、連続するページからなる表示情報を表示させるといった利用方法も提示されている（例えば、特許文献２参照）。
【０００９】
複数の電子表示装置を用いて、それらの間の位置関係（順序など）に基づき、関連する一連の表示情報を表示させるという、表示書き込みの管理は、ファイルのような固定した形態に限らず、他にも様々な形態が想定可能であり、より広い範囲で応用可能な表示情報書き込み管理の手法が求められている。
【００１０】
例えば、一連の情報を複数の電子表示装置に書き込むに際して、各々の電子表示装置が分離状態にあり、その位置関係が予め特定できないような場合を考えると、何らかの手段を用いて、複数の電子表示装置に表示された情報が一連の情報になるように操作する必要がある（例えば、後でページ順に並べ直すなどの操作が必要となる）。
【００１１】
これは、非接触通信であるがゆえに、通信可能な範囲内であれば書き込みが可能であり、書き込む電子表示装置がどの位置に存在するかと全く無関係に書き込みが行われてしまうからである。
【００１２】
非接触通信自体は大きなメリットであるが、このような特有のデメリットもある。この弊害を解消し、そのときの状況に応じて各電子表示装置の位置を検出し、例えば配列順序などの配列情報を元に、各電子表示装置の表示が一連の情報となるよう電子表示装置を選択し、書き込みできるシステムの実現が要請されている。
【特許文献１】特開２００４−１０２８４０号公報
【特許文献２】特開２００３−２２２５７号公報
【発明の開示】
【発明が解決しようとする課題】
【００１３】
上記のように、電子表示装置に対して、非接触でのアクセスが日常的に行われるようになるにつれ、上述した要請がより強くなる。
【００１４】
本発明の目的は、複数の電子表示装置に一連の電子データを表示情報として書き込むに当たり、その時点でそれぞれの電子表示装置がどのように配列されているか、すなわち配列情報を検出し、その配列情報とそれぞれの電子表示装置の識別情報を対応づけることで、適切な位置の電子表示装置に適切な電子データを表示情報として割り当てることを可能にし、ユーザに余計な手間をかけさせず、そのときの電子表示装置の配列状態に合わせた適切な表示が簡単にできる、電子データ表示システムを提供することである。
【課題を解決するための手段】
【００１５】
上記の課題を解決するために、本発明は以下の特徴を有するものである。
【００１６】
（１）  電子表示装置に電子データを伝達する電子データ伝達手段を有する書き込み装置と、前記書き込み装置から伝達される前記電子データを受信することにより既に表示されている電子データを更新する電子データ書き換え手段と、前記伝達される前記電子データを表示する表示手段とを有する複数の電子表示装置とを備え、任意の順序で配列された前記複数の電子表示装置に対し、前記電子データ伝達手段により、前記書き込み装置が記憶する一連の電子データを伝達し、書き換える電子データ表示システムであって、前記配列された複数の電子表示装置には、前記書き込み装置により検知される、それぞれの電子表示装置を識別するための一連の識別情報に関連づけられた被検知部が設けられ、前記書き込み装置には、前記被検知部から前記一連の識別情報と前記複数の電子表示装置の配列の順序とを検知する検知手段が設けられ、前記検知手段により検知された前記一連の識別情報と前記複数の電子表示装置の配列の順序に基づき、前記配列された複数の電子表示装置のそれぞれに対し、伝達すべき電子データを割り当てる電子データ割り当て手段を有することを特徴とする電子データ表示システム。
【００１７】
（２）  一連の前記被検知部は、前記複数の電子表示装置のそれぞれに対し、前記電子表示装置の任意の位置に、物理的性質、電気的性質、及び光学的性質から選択される少なくとも一つの性質の異なる、若しくは異なるように操作し得る部分を設けることで、それぞれの電子表示装置を特定する識別情報を表すものであることを特徴とする（１）に記載の電子データ表示システム。
【００１８】
（３）  前記電子データ割り当て手段は、前記複数の電子表示装置のそれぞれに対し、前記検知手段により検知された前記複数の電子表示装置の配列の順序に対応して、複数ページからなる一連の電子データをページ順に、または任意に表示順序を変更する処理のなされたページ順に、割り当てるものであることを特徴とする（１）または（２）に記載の電子データ表示システム。
【００１９】
（４）  一連の前記電子表示装置は、それぞれ表面と裏面の両面を有する形状であり、前記被検知部はさらに、前記表示手段が前記電子表示装置の前記表面か裏面のいずれか片面に設けられているかまたは両面に設けられているかを識別できる情報をも表すものであり、前記電子データ割り当て手段はさらに、前記表示手段が前記片面に設けられているか、または両面に設けられているかを識別できる情報も加え、前記伝達すべき電子データを割り当てるものであることを特徴とする（１）乃至（３）の何れか１項に記載の電子データ表示システム。
【００２０】
（５）  一連の前記電子表示装置は、それぞれ表面と裏面の両面を有し、かつ上下左右の概念を有する矩形状であり、前記被検知部はさらに、前記電子表示装置の前記表面と裏面、及び上下と左右の向きを識別できる情報をも表すものであり、前記電子データ割り当て手段はさらに、前記電子表示装置の前記表面と裏面、及び上下と左右の向きを識別できる情報をも加え、前記伝達すべき電子データを割り当てるものであることを特徴とする（１）乃至（４）の何れか１項に記載の電子データ表示システム。
【発明の効果】
【００２１】
本発明によれば、複数の電子表示装置に一連の電子データを表示情報として書き込むに当たり、その時点でそれぞれの電子表示装置がどのように配列されているか、すなわち配列情報を検出し、その配列情報とそれぞれの電子表示装置の識別情報を対応づけることで、適切な位置の電子表示装置に適切な電子データを表示情報として割り当てることが可能になり、ユーザに余計な手間をかけさせずに、そのときの電子表示装置の配列状態に合わせた適切な表示が簡単にできる電子データ表示システムを提供することができる。例えば、各電子表示装置に対してページ順の、または任意に表示順序を変更する処理のなされたページ順の表示が求められているときは、電子表示装置の並び順に対応してページ順の表示情報、すなわち電子データを割り当てることができる。さらに、識別情報として各電子表示装置における表示が片面であるか両面であるか、また表裏の向きや上下左右の向きの情報をも含むようにすることで、それらの配置状態も考慮した適切な表示が簡単にできる電子データ表示システムを提供することもできる。
【発明を実施するための最良の形態】
【００２２】
本発明に係る電子データ表示システムの実施形態例を、図を参照して説明する。
【００２３】
（システムの概略構成例）
図１（ａ）及び図１（ｂ）は、本発明に係る実施形態例として、電子表示装置と書き込み装置からなる電子データ表示システムの概略を外観図として示したものである。
【００２４】
図１（ａ）において、１は電子表示装置であり、２は書き込み装置である。これらにより電子データ表示システムは構成される。さらに書き込み装置２は、書き込み装置本体３と、クレードル部４とからなる。図１（ｂ）には、図１（ａ）と同じ構成であるが、電子表示装置１を書き込み装置２のクレードル部４上に配列した状態を示す。
【００２５】
この図１の例では、電子ペーパのように薄い平面状の形状をした電子表示装置１が５枚記されているが、もちろん何枚であってもよい。後述するように、これらの電子表示装置１は、それぞれ独立して機能するものであり、それぞれが非接触での情報の送受信機能を有し、表示情報として別個の電子データを表示することができる（以後、表示情報としての電子データを単に表示情報と称する）。またそれぞれが個別の識別情報を保持しており、書き込み装置２と個別に通信することができる。
【００２６】
書き込み装置２は、書き込み装置本体３と、クレードル部４とからなる。
【００２７】
書き込み装置本体３は、電子表示装置１への書き込みを制御する機能を有し、複数の電子表示装置１に対して、非接触で情報の送受信を行うことにより、それらの認証と各個別の書き込み操作を行うことができる。図１（ａ）及び（ｂ）は、パーソナルコンピュータを使用した例を図示している。
【００２８】
クレードル部４は、複数の電子表示装置１を配列する受け台として使用できるようになっており、それぞれの電子表示装置１の配列位置と識別情報を検知し、書き込み装置本体３に送信する機能を有している。クレードル部４と書き込み装置本体３の通信は、無線（非接触）であっても、有線であってもよい。また、書き込み装置本体３とクレードル部４とは、一体のものであってもよい。
【００２９】
（システムの全体構成例）
図２を用いて、電子データ表示システムを構成する各機能要素について説明する。図２は、図１に示した電子データ表示システムの実施形態例における、全体の構成を示すブロック図である。
【００３０】
１は、電子表示装置である。図１には５枚記してあったが、図２では単体の構成を示している。電子表示装置１は、電気的な動作を行うが、内部に電源（不図示）を搭載している場合と、外部から電源を供給する場合がある。外部から電源を供給する場合は、有線であっても無線であってもよい。電源を搭載している場合は、一次電池や二次電池だけでなく、外部から供給して蓄電する手段を有してもかまわない。
【００３１】
電子表示装置１は、以下の各部から構成されている。
【００３２】
１１は、書き込み装置本体３と通信するための送受信制御部であり、表示情報や当該電子表示装置を認証するための情報を授受する。
【００３３】
１２は、当該電子表示装置の識別情報を記憶する識別情報保持部である。識別情報はそれぞれの電子表示装置１を個体識別する情報であり、当該電子表示装置の形状や構造に関する情報を含んでいてもよい。また当該電子表示装置の認証を非接触の通信で行うための他の情報を含んでいてもよい。
【００３４】
１４は、表示するための情報、すなわち電子データを保持しておく表示情報保持部である。
【００３５】
１３は、送受信制御部１１を通じて書き込み装置本体３から得た表示情報を用いて、表示情報保持部１４に記憶されている表示情報を書き換える表示情報書き換え部であり、電子データ書き換え手段として機能する。
【００３６】
１５は、表示情報を視覚的に認知できるよう表示する表示部であり、表示手段として機能する。表示部１５には、表示情報保持部１４にある表示情報がそのまま表示される。
【００３７】
１６は、クレードル部４にある検知手段に必要な情報を提示する情報提示部であり、被検知部として機能する。情報提示は、識別情報保持部１２に記憶されている情報が含まれるように行われる。また情報提示部１６を備える電子表示装置１が、検知手段のあるクレードル部４に配列されることで、配列された位置も併せて配列情報として検知される。情報提示の具体的な方法の例は、後述する。
【００３８】
２は、書き込み装置であり、書き込み装置本体３と、クレードル部４とからなる。
【００３９】
書き込み装置本体３は、電子表示装置１やクレードル部４との表示情報書き込みに関する情報の授受などを管理する。書き込み装置本体３は、以下の各部から構成されている。
【００４０】
２０は、書き込み制御部であり、電子表示装置１への表示情報の送信を制御する。また各電子表示装置の認証や、表示情報の割り当てなど書き込みに関わる処理動作を統括的に制御する。
【００４１】
書き込み制御部２０内には、特に各電子表示装置に表示情報を割り当てる表示情報管理部２１があり、電子データ割り当て手段として機能する。表示情報管理部２１は、クレードル部４にある情報検出部から得た情報を解析し、それらの結果を基に、電子表示装置１の識別情報による認証や、識別された各電子表示装置に対する表示情報の割り当てなどの操作、あるいは処理を行う。
【００４２】
２３は、電子表示装置１の送受信制御部１１との情報の送受信を行う送受信部であり、書き込み制御部２０に制御されて、表示情報や当該電子表示装置を認証するのための情報を授受する。すなわち、送受信部２３は、書き込み制御部２０と協働して電子データ伝達手段として機能する。また一方、クレードル部４にある送受信制御部との情報授受も送受信部２３で併せて処理してもよい。
【００４３】
２２は、情報記憶部であり、書き込み制御部２０における書き込み制御で必要な情報、すなわち表示情報や認証のための情報などの一時的格納を行う。
【００４４】
クレードル部４は、複数の電子表示装置１を配列する受け台としての形態を有しており、配列された複数の電子表示装置１の位置関係を検出できるようになっている。またそのため複数の電子表示装置１の配列を整然と整列させる案内部材を有していてもよい。またクレードル部４は、検知した電子表示装置１の配列順序とそれぞれの識別情報を、書き込み装置本体３に送信する機能も有している。
【００４５】
クレードル部４は、以下の各部から構成されている。
【００４６】
２５は、電子表示装置１の情報提示部１６の提示する情報を検出する情報検出部であり、検知手段として機能する。電子表示装置１の情報提示部１６は、情報検出部２５のあるクレードル部４に対して配列されており、電子表示装置１の識別情報と共に配列された順序も併せて配列情報として検知される。情報検出の具体的な方法の例は、後述する。
【００４７】
また、情報検出部２５は、配列された複数の電子表示装置１の配列情報を確実に検出できるように、前述の案内部材を備えていてもよい。その場合、案内部材は電子表示装置１の整列手段として機能する。
【００４８】
２４は、情報検出部２５によって検出された情報を書き込み装置本体３に送信する送受信部である。書き込み装置本体３との通信は、無線（非接触）であっても、有線であってもよい。
【００４９】
以上説明した、電子データ表示システムの全体構成例から分かるように、本実施形態例では、表示書き込み処理として概略以下の三つの主たる処理を実行する機能を構成している。
（１）個別認証処理
配列された各電子表示装置を各々独立に管理し、一連の表示情報を表示させるために、識別情報などを用いて各個別に認証する。
（２）配列状態による表示情報割り当て処理
各電子表示装置の被検知部とクレードル部の検知手段によって、配列された各個別の電子表示装置の識別情報をその配列順序と対応づけ、それに基づき表示情報をそれぞれの電子表示装置に割り当てる。
（３）伝達、表示処理
各個別の電子表示装置に割り当てられた表示情報を、それぞれの電子表示装置に伝達し、表示させる。
【００５０】
これらの機能を実現する動作を、図３乃至図５を用いて説明する。
【００５１】
図３は、単体の電子表示装置を認証し、当該電子表示装置に表示情報を伝達し、表示させる単体での処理例の各工程を示すフローチャートである。図４と図５は、配列された複数の電子表示装置に対して、一連の表示情報をそれぞれ割り当て、伝達し、表示させる各工程を示す、表示書き込み処理例１と表示書き込み処理例２の各工程を示すフローチャートである。表示書き込み処理例１と表示書き込み処理例２の違いは、識別情報の認証の仕方、すなわち情報授受の具体的方法が異なる。
【００５２】
まず図３の、単体でのフローチャート例を用いて、単体での表示書き込み処理例を説明する。適時、図２も参照する。
【００５３】
（単体での表示書き込み処理例）
単体での表示書き込み処理例は、単体の電子表示装置に定められた表示情報を書き込む例であり、（１）の電子表示装置の認証処理と、（３）の伝達、表示処理だけを含み、（２）の配列状態による表示情報割り当て処理はない。従来からの処理の参考として説明する。
【００５４】
表示書き込み処理が開始されると、ステップ１１で、書き込み装置本体３の情報記憶部２２において、書き込むべき電子表示装置の識別情報が設定される。
【００５５】
ステップ１２では、書き込み装置本体３の書き込み制御部２０により、送受信部２３を通して、設定された識別情報が電子表示装置１に向けて送信され、識別呼びかけが行われる。
【００５６】
ステップ１３で、電子表示装置１の送受信制御部１１は、識別呼びかけを受信すると、ステップ１４へ進み認証のための判定動作を行う。
【００５７】
ステップ１４では、電子表示装置１の送受信制御部１１は、受信した識別情報を識別情報保持部１２の保持する自己の識別情報と照合し、一致するかどうかを判定する。識別情報が一致する場合（ステップ１４：ＹＥＳ）は、ステップ１５を実行する。一致しない場合（ステップ１４：ＮＯ）は、受信した電子表示装置は書き込みの対象ではなく、応答せずに終了する。
【００５８】
ステップ１５では、電子表示装置１は、書き込むべき電子表示装置として認証されたということで、識別に対する応答を行う。すなわち、送受信制御部１１が書き込み装置本体３の送受信部２３に応答信号を送信する。
【００５９】
ステップ１６では、書き込み装置本体３の送受信部２３が応答信号を受信し、書き込み制御部が識別確認を行い、次のステップ２１以降の伝達、表示処理へと動作を移していく。すなわち、ステップ１２からこのステップ１６までで電子表示装置の認証は終えて、次のステップ２１からステップ２７までが伝達、表示処理の動作となる。
【００６０】
ステップ２１では、書き込み装置本体３の書き込み制御部２０により、送受信部２３を通して、識別した書き込み対象の電子表示装置１に向けて、識別情報と共に表示情報を送信する。
【００６１】
ステップ２２では、電子表示装置１の送受信制御部１１は、表示情報を受信すると、ステップ２３へ進み、まず認証のための判定動作を行う。
【００６２】
ステップ２３では、ステップ１４と同様に、電子表示装置１の送受信制御部１１が、表示情報と共に受信した識別情報を、識別情報保持部１２の保持する自己の識別情報と照合し、一致するかどうかを判定する。識別情報が一致する場合（ステップ２３：ＹＥＳ）は、ステップ２４を実行する。一致しない場合（ステップ２３：ＮＯ）は、受信した電子表示装置は書き込みの対象ではなく、応答せずに終了する。
【００６３】
ステップ２４では、電子表示装置１は、認証の確認を終えて、識別に対する応答を行う。すなわち、送受信制御部１１が書き込み装置本体３の送受信部２３に識別確認、表示実行の応答信号を送信する。その後ステップ２６を実行する。
【００６４】
書き込み装置本体３は、ステップ２５で、送受信部２３が応答信号を受信し、書き込み制御部が表示書き込み処理の終了を確認する。
【００６５】
一方、電子表示装置１は、ステップ２６で送受信制御部１１が受信した表示情報書き換え部１３に送り、表示情報書き換え部１３は表示情報保持部１４の表示情報を更新する。
【００６６】
最後にステップ２７で、表示部１５が表示情報保持部１４の更新された表示情報を表示し、表示書き込み処理は終了する。すなわち、ステップ２１からこのステップ２７までで表示情報の伝達、表示処理を終える。
【００６７】
なお、この単体での表示書き込み処理例では、後半の表示、伝達処理の工程の中で、前半に行った認証処理を繰り返している。対象となる電子表示装置が単体であり、当該電子表示装置が送受信可能な状態で存在することを前提とできるならば、前半の認証処理（ステップ１２からステップ１６まで）は省略することも可能である。
【００６８】
次に図４の、複数配置でのフローチャート例１を用いて、複数の電子表示装置が配列され、それぞれの個別の配列位置に応じた一連の表示情報を書き込み処理する例としての表示書き込み処理例１を説明する。
【００６９】
（表示書き込み処理例１）
表示書き込み処理例１は、複数の電子表示装置１が配列され、それぞれの個別の配列位置に応じた一連の表示情報を書き込み処理する例であり、（１）の電子表示装置の認証処理と、（３）の伝達、表示処理以外に、（２）の配列状態による表示情報割り当て処理を含む。
【００７０】
表示書き込み処理が開始される時点では、ステップ３１で、既に複数の電子表示装置１が、書き込み装置２のクレードル部４に配列されているとする。
【００７１】
その状態で、ステップ３２では、まず書き込み装置本体３の情報記憶部２２において、配列された複数の電子表示装置１に該当する識別情報が順次設定される。これは表示書き込み処理する複数の電子表示装置１のすべての識別情報を順次処理していくためであり、ステップ３６までの範囲を繰り返し処理するためのものである。
【００７２】
電子表示装置１の識別情報を設定すると、次のステップ１２からステップ１６までは、前述の単体での表示書き込み処理例における個別認証処理と同様の工程であり、説明は省略する。
【００７３】
個別の認証が成立すると、ステップ３３で、電子表示装置１は、送受信制御部１１が情報提示部１６に信号を送り、情報提示部１６が認証されたことを示す信号をクレードル部４の情報検出部２５に向けて発信する。
【００７４】
次いでステップ３４で、クレードル部４の情報検出部２５は、情報提示部１６の発信する信号を、クレードル部４に配列された電子表示装置１の配列情報として検出し、送受信制御部２４が、情報検出部２５で検出された情報を、書き込み装置本体３の送受信部２３に送る。
【００７５】
以上のステップ３３とステップ３４における、情報提示部１６と情報検出部２５による情報提示／検出処理については、後で具体的な処理例を説明する。
【００７６】
次にステップ３５では、検出情報を受け取った書き込み装置本体３の送受信部２３は、書き込み制御部２０に検出された情報を送る。書き込み制御部２０の表示情報管理部２１は、電子表示装置１の識別情報、すなわち認証のために発信した識別情報と、それに応答して情報提示部１６から提示された配列情報とを対応づけて、情報記憶部２２に記憶しておく。
【００７７】
次のステップ３６では、書き込みを予定した全電子表示装置の識別情報を処理終了したかどうかを判定する。全識別情報を処理終了した場合（ステップ３６：ＹＥＳ）は、次のステップ３７を実行する。未処理の識別情報が残っている場合（ステップ３６：ＮＯ）は、ステップ３２に戻り、新たな識別情報を設定する。そして、全識別情報の処理が終了するまで、ステップ３２からステップ３６までの工程が繰り返されることになる。
【００７８】
次のステップ３７では、ステップ３５で情報記憶部２２に記憶しておいた、各電子表示装置の各識別情報と配列情報、すなわち配列された順序との対応付けに基づいて、表示情報管理部２１が、それぞれの識別情報を配列された電子表示装置の並び順にソートする。
【００７９】
ステップ３８では、表示情報を並び順に割り当て、書き込み処理を行っていくために、今回は並び順にソートされた識別情報の順序に従い、識別情報を順次設定していく。これはクレードル部４に配列された複数の電子表示装置すべてに、その並び順に表示書き込み処理していくためであり、ステップ４０までの範囲を繰り返し処理するためのものである。
【００８０】
次のステップ３９では、表示情報管理部２１により、ステップ３８で順次設定された識別情報に対して、その並び順に適切な表示情報が割り当てられていく。例えば、複数の電子表示装置により複数ページからなる表示情報が表示されるのであれば、複数の電子表示装置の書き込み時、すなわちクレードル部４に配列された状態での並び順に、表示するページを割り当てていくといった処理が考えられる。
【００８１】
識別情報、すなわち各個別の電子表示装置に対して表示情報が割り当てられた段階で、以降のステップ２１からステップ２７の伝達、表示処理が実行される。ステップ２１からステップ２７までは、前述の単体での表示書き込み処理例における伝達、表示処理と同様の工程であり、説明は省略する。
【００８２】
上記の伝達、表示処理により、設定された識別情報に該当する電子表示装置への、割り当てられた表示情報の表示が行われると、次のステップ４０では、並び順にソートされたすべての識別情報が設定され、処理終了したかどうかを判定する。
【００８３】
全識別情報を処理終了した場合（ステップ４０：ＹＥＳ）は、配列された複数の電子表示装置に対する表示書き込み処理は、すべて終了である。未処理の識別情報が残っている場合（ステップ４０：ＮＯ）は、ステップ３８に戻り、次の並び順の識別情報を設定する。そして、並び順の全識別情報の処理が終了するまで、ステップ３８からステップ４０までの工程が繰り返されることになる。
【００８４】
なお、この表示書き込み処理例１でも、後半の表示、伝達処理の工程の中で、前半に行った認証処理を繰り返している。この場合、識別情報と配列情報を対応づけるため、識別情報に応答して電子表示装置１が情報提示部１６を通じて反応する必要があり、一方を省略するわけにはいかない。
【００８５】
次に図５の、複数配置でのフローチャート例２を用いて、表示書き込み処理例１と同様の、複数の電子表示装置が配列され、それぞれの個別の配列順序に応じた一連の表示情報を書き込み処理する例としての表示書き込み処理例２を説明する。
【００８６】
表示書き込み処理例２では、表示書き込み処理例１と異なる点として、情報提示の時点で識別情報を併せて発信することにより、前半の認証処理を省略している。当然、情報提示／検出の工程の内容も異なってくる。
【００８７】
（表示書き込み処理例２）
表示書き込み処理例２は、複数の電子表示装置１が配列され、それぞれの個別の配列順序に応じた一連の表示情報を書き込み処理する例であり、表示書き込み処理例１と同様に、（２）の配列状態による表示情報割り当て処理と（３）の伝達、表示処理を含むが、（１）の電子表示装置の認証処理については、（２）の配列状態による表示情報割り当て処理の中で併せて行っている。
【００８８】
表示書き込み処理が開始される時点では、ステップ３１で、既に複数の電子表示装置１が、書き込み装置２のクレードル部４に配列されているとする。またその状態で、ステップ３３において、既に電子表示装置１の情報提示部１６により、当該電子表示装置の識別情報を含む情報がクレードル部４の情報検出部２５に対して提示されている。
【００８９】
すなわち、情報提示部１６は、表示書き込み処理例１のように信号を受けて発信するのではなく、常に情報読み取り可能になっており、クレードル部４に配列しただけで、クレードル部４の情報検出部２５が情報提示部１６の情報を検出可能な状態になっているということである。
【００９０】
従って、表示書き込み処理が開始されると、ステップ３４で、クレードル部４の情報検出部２５は、情報提示部１６の情報検出を始める。
【００９１】
検出する情報は、クレードル部４に配列された複数の電子表示装置１の各識別情報と配列情報とである。情報検出部２５は、情報提示部１６の提示する情報に含まれる識別情報と、それが検出される配列位置とを情報として検出し、送受信制御部２４が、情報検出部２５で検出された、配列された複数の電子表示装置それぞれについて得た情報を、書き込み装置本体３の送受信部２３に送る。
【００９２】
以上のステップ３３とステップ３４における、情報提示部１６と情報検出部２５による情報提示／検出処理については、後で具体的な処理例を説明する。
【００９３】
次にステップ３５では、検出情報を受け取った書き込み装置本体３の送受信部２３は、書き込み制御部２０に検出された情報を送る。書き込み制御部２０の表示情報管理部２１は、情報提示部１６から提示された電子表示装置１の各識別情報と配列情報、すなわち配列順序とを対応づけて、情報記憶部２２に記憶しておく。
【００９４】
次のステップ３７では、ステップ３５で情報記憶部２２に記憶しておいた、各電子表示装置の各識別情報と配列順序の対応付けに基づいて、表示情報管理部２１が、それぞれの識別情報を配列された電子表示装置の並び順にソートする。
【００９５】
このステップ３７以降の工程は、表示書き込み処理例１と同様であり、簡略化して説明する。
【００９６】
ステップ３８では、並び順にソートされた識別情報の順序に従い、識別情報を順次設定していく。これはステップ４０までの範囲を繰り返し処理するためのものである。
【００９７】
次のステップ３９では、表示情報管理部２１により、ステップ３８で順次設定された識別情報に対して、その並び順に適切な表示情報が割り当てられていく。
【００９８】
以降のステップ２１からステップ２７までは、前述の単体での表示書き込み処理例における伝達、表示処理と同様の工程であり、説明は省略する。
【００９９】
次のステップ４０では、並び順にソートされたすべての識別情報が設定され、処理終了したかどうかを判定する。
【０１００】
全識別情報を処理終了した場合（ステップ４０：ＹＥＳ）は、配列された複数の電子表示装置に対する表示書き込み処理は、すべて終了である。未処理の識別情報が残っている場合（ステップ４０：ＮＯ）は、ステップ３８に戻り、次の並び順の識別情報を設定する。そして、並び順の全識別情報の処理が終了するまで、ステップ３８からステップ４０までの工程が繰り返されることになる。
【０１０１】
このように、表示書き込み処理例２では、情報提示の時点で識別情報を併せて発信することにより、前半の認証処理を省略している。当然、情報提示は識別情報を直接的に知らせるような形態でなければならない。
【０１０２】
（表示情報割り当て処理例）
表示書き込み処理例１と、同じく処理例２の場合も含めて、ステップＳ３５からＳ３９の工程で行われる処理、すなわち（２）の配列状態による表示情報割り当て処理の具体例について、以下に説明する。
【０１０３】
図１に示したような実施形態例において、４枚の電子表示装置に対し、表示情報として連続した４ページ分の電子データを伝達し、表示する場合を例に説明する。
【０１０４】
図６には、任意の順序で上記４枚の電子表示装置が配列された具体例を、ＩＣタグ情報と識別情報、そして表示情報と表示順序各々の対応関係とともに示す。４枚の電子表示装置１０１は、それぞれ特定の識別情報１５１を保持し、無線送受信の可能なそれぞれ別個のＩＣタグを備えている。ＩＣタグは、それぞれ別個のＩＣタグ情報１５３を有している。
【０１０５】
４枚の電子表示装置の識別情報１５１は、それぞれ１１００、１１０１、１０００、１０１１であり、その順序でＩＣタグ情報１５３のＩ１、Ｉ２、Ｉ３、Ｉ４と対応している。一方、４ページ分の電子データ、すなわち表示情報１５４は、Ｐ１、Ｐ２、Ｐ３、Ｐ４であり、表示順序１５２もこの順であるとする。
【０１０６】
図６に示したような順序で上記４枚の電子表示装置１０１が配列された場合、後述する情報提示／検出処理によって各電子表示装置の識別情報１５１がその配列順序と併せて検出される。すなわち上から１０１１、１１０１、１０００、１１００という、配列順序と対応した識別情報１５１が検出される。
【０１０７】
識別情報１５１はＩＣタグ情報１５３と予め対応しているため、ＩＣタグ情報１５３としては、上から順にＩ４、Ｉ２、Ｉ３、Ｉ１となる。
【０１０８】
４枚の電子表示装置１０１に対して、上から順に表示順序１５２に従って表示するためには、表示順序１５２は上から順に１、２、３、４という順序になり、従って上記４枚の電子表示装置１０１に対し、上から順にＰ１、Ｐ２、Ｐ３、Ｐ４の表示情報１５４を表示させることになる。
【０１０９】
この表示情報１５４の順序を前述のＩＣタグ情報１５３の順序と対応づけて、Ｉ４にＰ１、Ｉ２にＰ２、Ｉ３にＰ３、Ｉ１にＰ４を送信し、表示させれば、その時点での電子表示装置の上からの配列順に対応して、連続した４ページ分の電子データが表示情報として表示されることになる。
【０１１０】
従って、電子表示装置の配列順を気にすることなく、任意の配列状態でその配列順に従った表示情報の表示順序を実現することができる。
【０１１１】
次に、表示書き込み処理例１の場合と、同じく処理例２の場合も含めて、情報提示と検出の様々な具体例について、以下に説明する。
【０１１２】
（情報提示／検出処理例１）
情報提示／検出処理例１として、タッチパネルによる接触検知を利用した電子表示装置の配列位置検出の例を、図を参照して説明する。
【０１１３】
図７は、クレードル部１０４上の抵抗膜方式のタッチパネル１３１に電子表示装置１０１の端部側面を接触するように複数枚配列した状態の具体例を示す外観図である。後述するが、電子表示装置１０１の端部側面は、タッチパネル１３１に接触し容量変化を促すための複数の突起部を備えている。
【０１１４】
図８（ａ）は、電子表示装置の端部側面をタッチパネルに接触するように配列した状態での、接触検知による情報提示／検出の具体例を示す図である。
【０１１５】
図８（ａ）に示すように、書き込み装置は、互いに通信可能な書き込み装置本体１０３とクレードル部１０４とからなり、クレードル部１０４の上面には、情報検出部としてタッチパネル１３１が備えられている。
【０１１６】
タッチパネル１３１は抵抗膜方式であり、そのタッチパネル１３１上に配列される電子表示装置１０１の端部側面には、情報提示部として、タッチパネル１３１を押すための突起部１３３〜１３５が設けられており、当該突起部がタッチパネル１３１の検出部分に接触するような向きに電子表示装置１０１は配列されている。
【０１１７】
電子表示装置１０１の情報提示部としての突起部１３３〜１３５は、先頭情報を示す突起部１３３、末尾情報を示す突起部１３５、および識別情報を示す突起部１３４の各突起部から構成されており、識別情報は複数の突起部の配置によりコード化されている。また各突起部は端部に沿って一列に配置されているので、その方向を定めるため、先頭または末尾を示す突起部（１３３または１３５）が設けられている。場合によっては、先頭または末尾の何れか一方の突起部だけでもよい。
【０１１８】
各突起部がタッチパネル１３１に接触し、圧力がかかることで、情報検出部としてのタッチパネル１３１は、それぞれの情報を検知する。例えば、書き込み装置本体１０３の書き込み制御部１２０が、タッチパネル１３１を通して位置検出スキャンを行い、各電子表示装置１０１に関する情報を検出する。またタッチパネル１３１上の検出位置も併せて検知できるため、その電子表示装置１０１の配列位置の情報として、検出した識別情報と対応づけることができる。
【０１１９】
また別の例として、図８（ｂ）に、圧力に反応する複数のスイッチ郡を用いて、各突起部の圧力を検知する例を図示する。図に示すように、タッチパネル１３１部分の替わりに複数のスイッチ郡１３２を配し、各突起部１３３〜１３５の圧力に反応する各スイッチのオン・オフを検知するようにすることで、上記抵抗膜方式のタッチパネルと同様な効果を得ることもできる。
【０１２０】
（情報提示／検出処理例２）
情報提示／検出処理例２として、電極を通じた容量変化を利用した電子表示装置の配列位置検出の例を、図を参照して説明する。
【０１２１】
図９は、クレードル部２０４上の静電容量方式のタッチパネル２３１に電子表示装置２０１の端部側面を接触するように配置した状態の具体例を示す外観図である。後述するが、電子表示装置２０１の端部側面は、タッチパネル２３１に接触し容量変化を促すための複数の電極部を備えている。
【０１２２】
図１０に、電子表示装置２０１の端部側面、すなわち情報提示部としての電極部２３３及び２３４の拡大図を示す。２３３は先頭情報を示す電極部であり、２３４は識別情報を示す電極部である。電極部は何れもアースされており、電極部２３４はその配置により識別情報がコード化されている。
【０１２３】
一方、クレードル部２０４の上面には、情報検出部として静電容量方式のタッチパネル２３１が備えられている。図１１には、静電容量方式のタッチパネル２３１に、電子表示装置２０１の情報提示部としての電極部２３４が接触している状態の断面図を示す。
【０１２４】
静電容量方式のタッチパネルでは、図１１の例に示すように、タッチパネル２３１に接触している電子表示装置２０１の端部側面に、アースされた電極部が存在した場合には、タッチパネル２３１内部の容量部分２４１に電圧２４２が印加されていることにより、当該電極部を通じて電流が流れ、当該タッチパネル部分の画素容量が変化することにより電極の存在を検知する機能を有する。例えば図１１の例の場合は、電極の存在の有無を１、０にデコードし、その結果、検出した識別情報は１０１１となる。
【０１２５】
図９を用いて、情報検出の手順を説明する。電子表示装置２０１の電極部を備えた電極側の端部が揃う向きに複数枚の電子表示装置を重ねる。複数枚重ねた電子表示装置２０１を、タッチパネル２３１と重ねた電子表示装置２０１端部側面の電極部が向き合う方向で、クレードル部２０４上、すなわちタッチパネル２３１上に配置する。
【０１２６】
書き込み装置本体２０３であるパソコンから、複数枚重ねた電子表示装置２０１に対してクレードル部２０４と通信を行い、クレードル部２０４に配置されているタッチパネル２３１のスキャンを行う。電子表示装置２０１と平行な方向に順次スキャンを行うことで、電子表示装置２０１の端部側面に配置されている電極部の容量の違いから各電子表示装置２０１の識別情報と相互の位置関係が検出される。
【０１２７】
図１２は、それぞれの電子表示装置２０１端部側面の電極部が、その電極配置によって識別情報を表現することを端部側面の拡大図で示す。
【０１２８】
図では、各々の電子表示装置２０１における電極部２３４は、所定の間隔をおいて電極配置されており、電極の有無によるビット表現で表記されている。ビット表現であれば、５ビットで３２種類、１０ビットで１０２４種類の検出を行うことができる。具体例として、図１２であれば４枚の電子表示装置２０１が配列されているが、上段の電子表示装置から順に（１０００）、（１１００）、（１１１０）、（１１１１）、と検出できる。
【０１２９】
また、図１０に示したように、電子表示装置２０１端部側面に配置される識別情報（電極２３４）の最も端の部分に、電子表示装置の識別情報とは別に先頭情報を示す表現（電極２３３）を備えることで、電子表示装置２０１の識別情報のどちら側が上位ビットであるかの判別をすることもできる。
【０１３０】
電子表示装置２０１端部の識別情報で上位ビット側の判別が可能であると、複数枚存在する電子表示装置の中で裏表が入れ替わっている電子表示装置があったとしても、配列位置の検出が可能であり、同時に各電子表示装置の裏表の向きの検出も可能になる。
【０１３１】
図１３には、電子表示装置２０１の表裏の向きを識別する具体例を示す。図１３でスキャンを左から行うと電子表示装置２０１が表向きの場合、検出した情報は“先頭情報＋１０１１”になり、よって表向きであり、識別情報も１０１１である、と検出される。逆に電子表示装置２０１が裏向きの場合、検出した情報は“１０１１＋先頭情報”になり、戦闘情報が後になることから裏向きであり、かつ先頭情報側が上位ビットであるので識別データは１１０１である、と検出される。
【０１３２】
図９では、タッチパネル２３１をクレードル部２０４の上面に配置して、電子表示装置２０１をその上に重ねた形態を示しているが、タッチパネル２３１の位置と電子表示装置２０１の置き方に関しては、図１４に示すような形態でもよい。情報提示部としての電極部２３４が電子表示装置２０１の端部側面にあり、情報検出部としてのタッチパネル２３１に接触可能であれば、特に配置の形態に指定はない。
【０１３３】
また上述の説明では、電子表示装置２０１端部側面の識別情報を表す電極配置は、すべて等間隔での配置として２進数を表現するものとしているが、図１５に示すように、等間隔ではなく、電子表示装置ごとに異なる位置に配置され、電極の位置がそれぞれの電子表示装置２０１の識別情報に対応するようにしてもよい。その際、電子表示装置２０１端部側面の電極の数と位置は任意である。
【０１３４】
また上述の説明では、先頭情報を示す電極２３３を配置した例を示してきたが、図１５に示すように、電子表示装置２０１端部側面には識別情報の電極２３４以外に、末尾（下位）情報を示す電極２３５を設けてもよい。
【０１３５】
（情報提示／検出処理例３）
情報提示／検出処理例３として、識別情報（バーコード）とＣＣＤセンサを利用した電子表示装置の配列位置検出の例を、図を参照して説明する。
【０１３６】
情報提示／検出処理例３は、情報提示／検出処理例２の一部を変更した処理例であり、変更部分は電子表示装置の識別情報を検出する手段である。情報提示／検出処理例２では識別情報を検出するために静電容量方式のタッチパネルと電極を用いたが、本処理例では識別情報を検出するためにＣＣＤセンサーと識別情報印字部（バーコード）を用いる。
【０１３７】
図１６には、情報検出部としてのＣＣＤセンサ部３３１を備えたクレードル部３０４に、情報提示部としての識別情報印字部３３４を備えた電子表示装置３０１が配列される状態を示す。重ねられた電子表示装置３０１は、識別情報印字部３３４を有する方の端部側面がＣＣＤセンサ部３３１に対向するように配置される。
【０１３８】
また図１６では、ＣＣＤセンサ部３３１をクレードル部３０４の横に垂直に配列して、複数の電子表示装置３０１を重ねた状態で配置する形態を示しているが、情報提示部としての識別情報印字部３３４が電子表示装置３０１の端部側面にあり、情報検出部としてのＣＣＤセンサ部３３１に対向可能であれば、ＣＣＤセンサ部３３１の位置と電子表示装置３０１の置き方に関して特に指定はない。
【０１３９】
図１７には、電子表示装置３０１の端部側面にある識別情報印字部３３４の例を拡大図で示す。ＣＣＤセンサ部３３１は、識別情報印字部３３４からの光の反射を検出し、反射具合の違いから識別情報印字部３３４で表されている各々の電子表示装置の識別情報を検出する。
【０１４０】
図１８（ａ）乃至図１８（ｄ）には、図１６の例と同じであるが電子表示装置３０１に設けられた識別情報の位置が異なる例を示す。
【０１４１】
図１８（ａ）は、電子表示装置３０１の端部表面、すなわち表示部３１５のある面の端部に識別情報印字部３３４が設けられた例である。図１６では識別情報印字部３３４が電子表示装置３０１の端部側面に設けられていたが、図１８（ａ）では電子表示装置３０１の端部表面に設けられている。また図１８（ｂ）は、その端部側面の拡大図であり、端部表面と端部裏面の両方に識別情報印字部３３４が設けられた例である。
【０１４２】
図１８（ｄ）には、上記電子表示装置３０１に対応して、識別情報を検出するＣＣＤセンサー部３３１が、クレードル部３０４の上面に設けられている例を示している。図１８（ｃ）には、電子表示装置３０１を識別情報印字部３３４側の端部が揃う向きに複数枚重ねて、上述のクレードル部３０４上に配置した状態を示す。
【０１４３】
図１６に準じて、書き込み装置本体３０３は、複数枚重ねた電子表示装置３０１を識別するためにクレードル部３０４と通信を行い、クレードル部３０４の端部上面に情報検出部として配置されているＣＣＤセンサ部３３１のスキャンを行う。電子表示装置３０１と平行な方向に順次スキャンを行うことで、配列されている各電子表示装置の情報提示部、すなわち識別情報印字部３３４から識別情報と相互の位置関係を検出することができる。
【０１４４】
識別情報印字部３３４の位置が電子表示装置３０１の端部表面であろうと、端部側面であろうと、図１７に示したように、各電子表示装置における識別情報は、所定の間隔でマークとなる線が配置されており、線の有無によるビット表現で表記されている。
【０１４５】
また、図１７に示したように、電子表示装置に配置される識別情報の最も端の部分に、電子表示装置の識別情報３３４とは別に先頭情報を示す表現３３３を備えることで、電子表示装置の識別情報のどちら側が上位ビットであるかの判別ができる。電子表示装置端部表面、もしくは裏面の識別情報で上位ビット側の判別が可能であると、複数枚存在する電子表示装置の中で裏表が入れ替わっている電子表示装置があったとしても配列位置の検出が可能であり、同時に電子表示装置の裏表の向きの検出も可能である。
【０１４６】
図１８（ｃ）には、識別情報印字部３３４の位置が電子表示装置３０１の端部表面または端部裏面であった場合の複数枚の電子表示装置３０１の配置例について示している。複数枚の電子表示装置３０１をずれのないように重ねて配置すると、最下面の識別情報しか検出できなくなる。従って、図に示すように、各情報提示部の何れもが露出するようにずらして配置する必要がある。位置をずらすことで、全電子表示装置の識別情報をクレードル部３０４上面のＣＣＤセンサ部３３１により検出することができる。従って、クレードル部３０４は、使用者がずらすことを意識しなくても、電子表示装置３０１を置くと、各々がずれて配置されるような物理的形状を有することが望ましい。
【０１４７】
また図１８（ｃ）では、ＣＣＤセンサ部３３１をクレードル部３０４の上面に配置して、電子表示装置３０１をその上に重ねた形態を示しているが、ＣＣＤセンサ部３３１の位置と電子表示装置３０１の置き方に関しては、情報提示部としての識別情報印字部３３４が電子表示装置３０１の端部表面または裏面にあり、情報検出部としてのＣＣＤセンサ部３３１で検知可能であれば、特に配置の形態に指定はない。
【０１４８】
また上述の説明で述べた識別情報は、バーコードを例に挙げているが、その他の表現方法であってもよい。
【０１４９】
（情報提示／検出処理例４）
情報提示／検出処理例４として、発光素子とフォトセンサを利用した電子表示装置の配列位置検出の例を、図を参照して説明する。
【０１５０】
図１９は、発光素子（ＬＥＤ）とフォトセンサを利用した情報提示／検出処理例４の具体例を示す図である。電子表示装置４０１は、内部に識別情報を持ち、情報提示部として端部側面に発光素子４３４を設けている。またクレードル部４０４は、情報検出部として、発光素子４３４の発光を検知するフォトセンサ部４３１を設けている。
【０１５１】
図２０には、電子表示装置４０１の端部側面の拡大図を示す。図２０に示す電子表示装置端部側面の発光素子４３４は、書き込み装置本体４０３からの認証、すなわち識別の呼びかけにより点灯する。
【０１５２】
図１９では、端部側面に発光素子４３４を備えた電子表示装置４０１を、その発光素子側の端部が揃う向きに複数枚重ねている。複数枚重ねた電子表示装置を、クレードル部４０４のフォトセンサ部４３１と電子表示装置４０１の発光素子部４３４が向き合う方向でクレードル部４０４上に配置する。書き込み装置本体４０３から複数枚重ねた電子表示装置を識別するために通信を行い、各電子表示装置の識別情報を順次呼びかける。
【０１５３】
クレードル部４０４上に配置した複数枚の電子表示装置は、書き込み装置本体４０３からの識別呼びかけを受け、自己の保持する識別情報に一致した場合は、それぞれの情報提示部としての発光素子４３４を点灯させる。その際、発光素子４３４の点灯をクレードル部４０４の情報検出部として設けられたフォトセンサ部４３１で検出する。検出した受光位置の座標と、応答を受けた識別情報とから、複数枚存在する電子表示装置の相互の位置関係を検出できる。
【０１５４】
また、図１９のように電子表示装置端部側面に配置される発光素子を、端部側面の中心よりもどちらかに寄せて配置し、それに合わせてフォトセンサ面を広く取ることで、複数枚存在する電子表示装置の中に、裏表が入れ替わっている電子表示装置があったとしても配列位置の検出が可能になる。同時に電子表示装置の裏表の向き検出も可能である。
【０１５５】
また、図２１には、電子表示装置４０１の両側の端部側面にそれぞれ発光素子４３４を設けた例を示す。図のように互いに対向する端部側面、すなわちＡ面とＢ面で発光素子４３４の位置を異なる位置にずらして配置しておけば、電子表示装置４０１の裏表だけでなく、配置されている向きも発光位置の違いから検出することができる。
【０１５６】
図１９では、フォトセンサ部４３１をクレードル部４０４の横に配置して、電子表示装置４０１を重ねた形態を示しているが、フォトセンサ部４３１の位置と電子表示装置４０１の置き方に関しては、情報提示部としての発光素子４３４が電子表示装置４０１の端部測面にあり、発光素子４３４の点灯が情報検出部としてのフォトセンサ部４３１で検知可能であれば、特に配置の形態に指定はない。
【０１５７】
図２２（ａ）乃至図２２（ｄ）には、図１９の方式と同様であるが電子表示装置４０１に設けられた発光素子４３４の位置が異なる例を示す。
【０１５８】
図２２（ａ）は、発光素子４３４が電子表示装置４０１の端部表面、すなわち表示部４１５のある面の端部に設けられた例である。図１９では発光素子３３４が電子表示装置４０１の端部側面に設けられていたが、図２２（ａ）では電子表示装置４０１の端部表面に設けられている。また、図２２（ｂ）は、その端部側面の拡大図であり、端部表面と端部裏面の両方に発光素子４３４が設けられた例である。
【０１５９】
図２２（ｄ）には、上記電子表示装置４０１に対応して、発光素子４３４の点灯を検出するフォトセンサ部４３１が、クレードル部４０４の上面に設けられている例を示している。図２２（ｃ）には、発光素子４３４を備えた電子表示装置４０１を、発光素子側の端部が揃う向きに複数枚重ねて、上述のクレードル部４０４上に配置した状態を示す。
【０１６０】
図１９に準じて、書き込み装置本体４０３は、複数枚重ねた電子表示装置４０１を識別するために通信を行い、各電子表示装置の識別情報を順次呼びかける。
【０１６１】
クレードル部４０４上に配列されたそれぞれの電子表示装置は、書き込み装置本体４０３からの識別呼びかけを受け、自己の保持する識別情報に一致した場合は、それぞれの情報提示部としての発光素子４３４を点灯させる。その際、発光素子４３４の点灯をクレードル部４０４に設けられた情報検出部、すなわちフォトセンサ部４３１で検出する。検出した受光位置の座標と、応答を受けた識別情報とから、複数枚存在する電子表示装置の相互の位置関係を検出できる。
【０１６２】
また、図２２（ａ）のように電子表示装置端部表面または端部裏面に配置される発光素子を、端部表面または端部裏面の中心よりもどちらかに寄せて配置し、それに合わせて図２２（ｄ）に示すようにフォトセンサ面を縦方向に広く取ることで、複数枚存在する電子表示装置の中に、裏表が入れ替わっている電子表示装置があったとしても配列位置の検出が可能になる。同時に電子表示装置の裏表の向き検出も可能である。
【０１６３】
また、図２３には、電子表示装置４０１の両側の端部の表示面側にそれぞれ発光素子４３４を設けた例を示す。図のように互いに対向する端部表面での発光素子４３４の位置を異なる位置にずらして配置しておけば、電子表示装置４０１の裏表だけでなく、配置されている向きも発光位置の違いから検出することができる。
【０１６４】
複数枚の電子表示装置４０１をずれのないように重ねて配置すると、最下面の発光素子しか検出できなくなる。従って、図２２（ｃ）に示すように、各発光素子４３４の何れもが露出するようにずらして配置する必要がある。位置をずらすことで、全電子表示装置の発光素子の点灯をクレードル部４０４上面のフォトセンサ部４３１により検出することができる。従って、クレードル部４０４は、使用者がずらすことを意識しなくても、電子表示装置４０１を置くと、各々がずれて配置されるような物理的形状を有することが望ましい。
【０１６５】
また図２２（ｃ）では、フォトセンサ部４３１をクレードル部４０４の上面に配置して、電子表示装置４０１をその上に重ねた形態を示しているが、フォトセンサ部４３１の位置と電子表示装置４０１の置き方に関しては、情報提示部としての発光素子４３４が電子表示装置４０１の端部表面または裏面にあり、当該発光素子４３４の点灯を情報検出部としてのＣＣＤセンサ部４３１で検知可能であれば、特に配置の形態に指定はない。
【０１６６】
また上述の説明で述べた発光素子は、ＬＥＤを例に挙げているが、その他の発光素子であってもよい。
【０１６７】
（情報提示／検出処理例５）
情報提示／検出処理例５として、相互接触方式による電子表示装置の配列位置検出の例を、図を参照して説明する。
【０１６８】
図２４は、相互接触方式を利用した情報提示／検出処理例５の具体例を示す図である。
【０１６９】
図２４では、配列位置を検出するための接触部５３４を備えた電子表示装置５０１と、電子表示装置５０１の接触部５３４と接触する部分５３１を備えたクレードル部５０４が、互いの接触部５３４及び５３１が接触するように重ねた状態で配置されている。書き込み装置本体５０３が、電子表示装置５０１と通信を行い、各電子表示装置の配列位置を検出し書き換えを制御する。
【０１７０】
図２５（ａ）は、電子表示装置５０１の構造を示す断面図であり、図２５（ｂ）はその平面図である。図に示すように、電子表示装置５０１はＡ面とＢ面といった裏表の区別があり、裏表両面の４隅に情報提示部としての接触部５３４を有している。すなわち電子表示装置５０１を重ね合わせると互いの接触部５３４同士が、接触するように接触部５３４は配置されている。また、電子表示装置５０１の内部には各々の電子表示装置としての識別情報をＩＣタグに保持している。
【０１７１】
図２６は、表示面が片面（Ａ面）のみの場合の識別動作原理を説明する断面図である。
【０１７２】
クレードル部５０４の一方の接触部５３１ａには電圧印加部５３２があり、もう一方の接触部５３１ｂはアースされている。電子表示装置５０１の内部は抵抗５４１とスイッチ素子５４２を含み、スイッチ素子５４２は無線通信により内部のＩＣタグの識別情報が呼び出された時にＯＮするように動作する。
【０１７３】
図２６では１枚目の電子表示装置５０１ａのスイッチ素子５４２ａがＯＮすると矢印Ａに示すように電流が流れ、その時の電流が流れる経路の抵抗値は１ｋΩとなる。同様に２枚目の電子表示装置５０１ｂのスイッチ素子５４２ｂがＯＮした場合は矢印Ｂに示すように電流が流れ、電流が流れる経路の抵抗値は３ｋΩとなる。
【０１７４】
無線通信でＩＣタグの識別情報を呼び出し、かつ電流が流れた時の抵抗値を検出し、抵抗値の違いから何枚目の電子表示装置がＯＮになったかで、その識別情報を持つ電子表示装置の配列位置を検出する。図２６の電子表示装置は片面にしか表示面がなく、最も基本的な動作説明である。
【０１７５】
図２７（ａ）と図２７（ｂ）は、両面表示可能な電子表示装置５０１を用いて、裏表の検出もできるように内部回路を変更した場合の識別動作原理を説明する断面図である。電子表示装置内部のスイッチ素子５４２と直列に抵抗と整流ダイオード５４３を接続してある。
【０１７６】
図２７（ａ）のように、２枚の電子表示装置のＡ面がともに上側に向いている時は、１枚目のスイッチ素子５４２ａがＯＮすると電流が流れる経路の抵抗値は１．１ｋΩ、２枚目のスイッチ素子５４２ｂがＯＮすると電流が流れる経路の抵抗値は３．１ｋΩとなる。１００Ωと並列に接続された１０Ωの抵抗にはダイオード５４３の向きが逆であるために電流は流れない。
【０１７７】
図２７（ｂ）では、１枚目の電子表示装置がＢ面を上にして配置されている場合を示す。この場合１枚目のスイッチ素子５４２ａがＯＮすると電流が流れる経路の抵抗値は１．０１ｋΩ、２枚目のスイッチ素子５４２ｂがＯＮすると電流が流れる経路の抵抗値は３．１ｋΩとなる。
【０１７８】
上述のように、流れる経路が１００Ω側か１０Ω側かの違いによって配列されている各電子表示装置の裏表が検出できる。
【０１７９】
図２８（ａ）乃至図２８（ｅ）は、電子表示装置５０１の裏表に併せて向きの検出もできるように内部回路を変更した場合の識別動作原理を説明する平面図である。
【０１８０】
同一の電子表示装置の置き方の違いは、図２８（ａ）乃至図２８（ｄ）の４種類に分けられる。図２８（ｅ）に示すのはクレードル部５０４の平面図であり、クレードル部５０４側には接触部５３１は２つしかなく、図２８（ａ）乃至図２８（ｄ）では、各電子表示装置５０１で下側２つの接触部５３４がクレードル部５０４の接触部５３１と接触する。電圧印加の方向は図２８（ｅ）に矢印Ｃで示すように、左下から右下の接触部５３１に電圧を印加する。
【０１８１】
図２８（ａ）乃至図２８（ｄ）の４種類の図では、図２６の電子表示装置断面図に示される１ｋΩの抵抗が表示されていないが、各図はクレードル部５０４に配置された１枚目の電子表示装置を示しているので、１ｋΩの抵抗は１つしか関与せず、基本の抵抗値は１ｋΩとなる。
【０１８２】
図２８（ａ）のＡ面が上になっている図を標準状態と考えると、図２８（ａ）では抵抗値は１．１ｋΩ、図２８（ａ）をＡ面を上にしたまま１８０度回転させた図２８（ｂ）の抵抗値は１．０２ｋΩ、標準状態の図２８（ａ）を裏表逆に配置した図２８（ｃ）の抵抗値は１．０１ｋΩ、図２８（ｃ）を１８０度回転させた図２８（ｄ）の抵抗値は１．２ｋΩとなる。
【０１８３】
上述のように、電子表示装置５０１のスイッチ素子５４２と直列に接続された抵抗値の違いから電子表示装置の裏表と置き方の向きが検出できる。
【０１８４】
図２４に示すようにクレードル部５０４上に電子表示装置を配列し、クレードル部５０４の接触部５３１と電子表示装置５０１の接触部５３４を接触させる。各接触部は導電性であり、クレードル部５０４が、書き込み装置本体５０３であるパソコンからの通信により、接触部５３１を通じて電子表示装置５０１の配列位置を検出する。電子表示装置５０１には先に述べたように、Ａ面またはＢ面の区別があり面の向きの検出も可能である。
【０１８５】
電子表示装置が複数枚存在する場合は、図２６、図２７（ａ）及び図２７（ｂ）に示すように各々の電子表示装置の接触部５３４同士が接触し、クレードル部５０４が複数枚の電子表示装置の配列位置を検出する。本処理例では、導電性の接触部５３４が電子表示装置５０１の４隅に設けられているため、図２８（ａ）乃至図２８（ｄ）に示すように電子表示装置５０１の左右が逆になっていても接触することができ、電子表示装置５０１の向きに関係なく電子表示装置の配列位置を検出できる。
【０１８６】
本処理例では、書き込み装置本体５０３とクレードル部５０４の通信は無線であっても、有線であってもよい。電子表示装置５０１上の接触部分５３４は導電性の材質であれば、位置や形状は任意である。
【０１８７】
図２９（ａ）には、接触部同士の接触を容易にする案内部材５４６を設けたクレードル部５０４の例を示す。図２９（ｂ）は、同じく案内部材５４６の形状が異なる例である。また図２９（ｃ）は、それに対応した電子表示装置５０１の例を示す。
【０１８８】
クレードル部５０４は、図２９（ａ）及び図２９（ｂ）に示すように、枚数に関わらず電子表示装置を置いた時に、特に注意しなくとも電子表示装置５０１上の接触部５３４とクレードル部５０４の接触部６３１、電子表示装置同士の接触部５３４が接触するような物理形状を達成するため、案内部材５４６を設けている。
【０１８９】
また、案内部材５４６は、電子表示装置５０１とクレードル部５０４上の各接触部が、電子表示装置５０１をどの向きに配置したときでも、確実に接触部同士が接触できるように、図２９（ａ）、図２９（ｂ）及び図２９（ｃ）に示すように、電子表示装置５０１、クレードル部５０４各々の中心線に対して線対称に配置することがよい。
【０１９０】
図３０（ａ）から図３０（ｃ）は、図２４と同様の接触方式で、接触部の位置を変更した例の識別動作原理を説明する図である。
【０１９１】
図２４では接触部５３４が電子表示装置５０１の表示面側に配置されていたが、図３０（ａ）では電子表示装置５０１の端部測面側に配置されている。図３０（ｂ）は、クレードル部５０４の平面図である。クレードル部５０４には電子表示装置５０１の配列位置を検出するための抵抗列部分５４７が設けられており、電子表示装置５０１のスイッチ素子５４２がＯＮしたときの抵抗値の違いで配列位置を検出できるようになっている。
【０１９２】
図３０（ｂ）に示すクレードル部５０４上の抵抗値は、電圧印加部５３２とアース部分から遠くなるにつれて大きくなり、図３０（ｃ）に示すように、複数の電子表示装置を配列した場合、抵抗値が小さいほど識別された電子表示装置は前側に配置されていることが検出できる。
【０１９３】
使用する電子表示装置５０１は、図３０（ａ）に示すような構成になっており、電子表示装置５０１の２つの端部側面上に２個ずつ接触部分５３４を持ち４種類の抵抗を設けている。抵抗値の違いによりクレードル部５０４上の電子表示装置５０１の上下、裏表の向きも検出できる。
【０１９４】
図３０（ａ）を例に挙げると、Ａ面が前側になっており、電子表示装置５０１内部のスイッチ素子５４２がＯＮした場合、電流は１０Ωの抵抗を流れるため検出される抵抗値は１０Ωとなる。抵抗値により向きが検出される理論は図２４の説明で述べた方法と同様である。
【０１９５】
図３０（ｃ）の例は電子表示装置５０１を立てて配置しているが、配置方法に関しての指定は無く、電子表示装置の端部断面に接触部を持つことが特徴である。
【０１９６】
上記の情報提示／検出処理例１から処理例５に示した例は、以下の共通した効果をもたらす。
【０１９７】
電子表示装置の相互の位置関係を検出することができると、無線通信であっても複数枚の電子表示装置それぞれの配列位置に対応した表示情報を各電子表示装置に送ることができ、複数枚の電子表示装置に対して複数ページの表示情報を、順序を乱すことなく表示することが可能である。また、複数枚の電子表示装置で、所定の枚数ずつ同じ表示情報を表示するなど、コピー機のソート機能と同じ機能を有することも可能になる。
【０１９８】
さらに、電子表示装置が両面表示可能な場合、前述したように複数枚の電子表示装置の中で裏表検出が可能であるため、両面ある電子表示装置のどちらの面が表に配置されているかも検出できる。従って、複数ページの表示情報を表示する時でも元の表示情報と同じ順序で電子表示装置の両面に表示させることが可能である。
【０１９９】
上記の情報提示／検出処理を使用すると、複数枚存在する電子表示装置に対して無線通信で表示を行う時に、複数枚存在する中での任意の配列位置の電子表示装置に表示させることが可能になり、表示後に使用者がページの整理をする煩雑さを解消することができる。
【０２００】
以上のような実施形態例により、複数の電子表示装置に一連の電子データを表示情報として書き込むに当たり、その時点でそれぞれの電子表示装置がどのように配列されているか、すなわち配列情報を検出し、その配列情報とそれぞれの電子表示装置の識別情報を対応づけることで、適切な位置の電子表示装置に適切な電子データを表示情報として割り当てることが可能になり、ユーザに余計な手間をかけさせずに、そのときの電子表示装置の配列状態に合わせた適切な表示が簡単にできる電子データ表示システムを提供することができる。
【０２０１】
なお、上述の実施形態例は、すべての点で例示であって制限的なものではない。本発明の範囲は上記した説明ではなく特許請求の範囲によって示され、特許請求の範囲と均等の意味及び範囲内でのすべての変更が含まれることが意図される。
【図面の簡単な説明】
【０２０２】
【図１】本発明に係る実施形態例として、電子表示装置と書き込み装置を備えた電子データ表示システムの概略を示す外観図である。
【図２】図１に示した電子データ表示システムの実施形態例における、全体の構成を示すブロック図である。
【図３】単体の電子表示装置を認証し、表示情報を伝達し、表示させる、単体での処理例の工程を示すフローチャートである。
【図４】複数の電子表示装置が配列され、それぞれの個別の配列位置に応じた一連の表示情報を書き込み処理する、表示書き込み処理例１の工程を示すフローチャートである。
【図５】表示書き込み処理例１とは前半の認証処理を省略している点が異なる、表示書き込み処理例２の工程を示すフローチャートである。
【図６】電子表示装置の配列状態により表示情報を割り当てるに際し、ＩＣタグ情報と識別情報、表示順序と表示情報各々の対応関係の具体例を示す図である。
【図７】抵抗膜方式のタッチパネルを用いた電子表示装置の情報提示／検出の具体的処理例１を示す外観図である。
【図８】電子表示装置の端部側面をタッチパネルあるいはプッシュスイッチ群に接触するように配列した状態を示す図である。
【図９】静電容量方式のタッチパネルを用いた電子表示装置の情報提示／検出の具体的処理例２を示す外観図である。
【図１０】電子表示装置の端部側面、すなわち情報提示部としての電極部を示す端部側面拡大図である。
【図１１】静電容量方式のタッチパネルに、電子表示装置の情報提示部としての電極部が接触している状態を示す断面図である。
【図１２】それぞれの電子表示装置端部側面の電極部が、その電極配置によって識別情報を表現することを示す端部側面の拡大図である。
【図１３】電子表示装置の表裏の向きを識別する具体例を示す図である。
【図１４】図９とは異なる電子表示装置の別の配列形態例を示す外観図である。
【図１５】図１２とは異なる電極配置によって識別情報を表現する別の例を示す端部側面の拡大図である。
【図１６】識別情報（バーコード）とＣＣＤセンサを利用した電子表示装置の情報提示／検出の具体的処理例３を示す外観図である。
【図１７】電子表示装置の端部側面にある識別情報印字部の例を示す拡大図である。
【図１８】図１６において、電子表示装置の情報提示部としての識別情報の位置が異なる例を示す図である。
【図１９】発光素子（ＬＥＤ）とフォトセンサを利用した電子表示装置の情報提示／検出の具体的処理例４を示す外観図である。
【図２０】情報提示部としての発光素子を備えた電子表示装置の端部側面の拡大図である。
【図２１】電子表示装置の両側の端部側面にそれぞれ発光素子を設けた例を示す図である。
【図２２】図１９において、電子表示装置の情報提示部としての発光素子の位置が異なる例を示す図である。
【図２３】電子表示装置の両側の端部の表示面側にそれぞれ発光素子を設けた例を示す図である。
【図２４】相互接触方式を利用した電子表示装置の情報提示／検出の具体的処理例５を示す外観図である。
【図２５】相互接触方式の電子表示装置の構造を示す断面図、および平面図である。
【図２６】表示面が片面のみの場合の、相互接触による識別動作原理を説明するための断面図である。
【図２７】両面表示可能な電子表示装置を用いた場合の、相互接触による識別動作原理を説明するための断面図である。
【図２８】電子表示装置の裏表に併せて向きの検出もできるように内部回路を変更した場合の、識別動作原理を説明するための平面図である。
【図２９】接触部同士の接触を容易にする案内部材を設けた場合の、電子表示装置及びクレードル部の例を示す外観図である。
【図３０】図２４において、電子表示装置の情報提示部としての接触部の位置が異なる例を示す図である。
【符号の説明】
【０２０３】
１  電子表示装置
２  書き込み装置
３  書き込み装置本体
４  クレードル部
１１  送受信制御部
１２  識別情報保持部
１３  表示情報書き換え部
１４  表示情報保持部
１５  表示部
１６  情報提示部
２０  書き込み制御部
２１  表示情報管理部
２２  情報記憶部
２３  送受信部
２４  送受信制御部
２５  情報検出部
１０１、２０１、３０１、４０１、５０１  電子表示装置
１０３、２０３、３０３、４０３、５０３  書き込み装置本体
１０４、２０４、３０４、４０４、５０４  クレードル部
１２０  書き込み制御部
１３１  タッチパネル
１３２  プッシュスイッチ
１３３  突起部（先頭情報）
１３４  突起部（識別情報）
１３５  突起部（末尾情報）
１５１  識別情報
１５２  表示順序
１５３  ＩＣタグ情報
１５４  表示情報
２３１  タッチパネル
２３３  電極部（先頭情報）
２３４  電極部（識別情報）
２３５  電極部（末尾情報）
２４１  容量部分
２４２  電圧印加部
３３１  ＣＣＤセンサ部
３３３  情報印字部（先頭情報）
３３４  識別情報印字部（バーコード）
４３１  フォトセンサ部
４３４  発光素子（ＬＥＤ）
５３１  接触部（情報検出部）
５３４  接触部（情報提示部）
５４１  抵抗
５４２  スイッチ素子
５４３  整流ダイオード
５４６  案内部材
５４７  抵抗列部分
【図１】
2007057930.tif 000003
【図２】
2007057930.tif 000004
【図３】
2007057930.tif 000005
【図４】
2007057930.tif 000006
【図５】
2007057930.tif 000007
【図６】
2007057930.tif 000008
【図７】
2007057930.tif 000009
【図８】
2007057930.tif 000010
【図９】
2007057930.tif 000011
【図１０】
2007057930.tif 000012
【図１１】
2007057930.tif 000013
【図１２】
2007057930.tif 000014
【図１３】
2007057930.tif 000015
【図１４】
2007057930.tif 000016
【図１５】
2007057930.tif 000017
【図１６】
2007057930.tif 000018
【図１７】
2007057930.tif 000019
【図１８】
2007057930.tif 000020
【図１９】
2007057930.tif 000021
【図２０】
2007057930.tif 000022
【図２１】
2007057930.tif 000023
【図２２】
2007057930.tif 000024
【図２３】
2007057930.tif 000025
【図２４】
2007057930.tif 000026
【図２５】
2007057930.tif 000027
【図２６】
2007057930.tif 000028
【図２７】
2007057930.tif 000029
【図２８】
2007057930.tif 000030
【図２９】
2007057930.tif 000031
【図３０】
2007057930.tif 000032